【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
１以上のラベルデータを記憶する記憶部と、
前記ラベルデータに基づいて通常ラベルを発行する通常ラベル発行部と、
前記通常ラベルの発行に伴い、前記通常ラベルのラベルデータを特定するためのコード画像を生成し、前記コード画像および前記通常ラベルのラベルイメージを含む見本ラベルを発行する見本ラベル発行部と、を備えたことを特徴とするラベル発行装置。
【請求項２】
前記見本ラベルに含まれたコード画像を読み取るコード画像読み取り部と、
読み取ったコード画像により前記通常ラベルのラベルデータを特定するラベルデータ特定部と、をさらに備えたことを特徴とする請求項１に記載のラベル発行装置。
【請求項３】
前記通常ラベル発行部は、ユーザーの認証情報を取得した場合に、前記通常ラベルを発行し、
前記見本ラベル発行部は、前記認証情報および前記通常ラベルのラベルデータを特定するラベル特定情報を含んだコード画像を生成することを特徴とする請求項２に記載のラベル発行装置。
【請求項４】
前記認証情報を入力するための認証情報入力画面と、前記認証情報の認証に伴い、前記通常ラベルの発行対象となるラベルデータを表示するラベルデータ表示画面と、を表示する表示部と、
前記表示部の表示制御を行う表示制御部と、をさらに備え、
前記表示制御部は、前記コード画像読み取り部によりコード画像を読み取った場合、前記認証情報入力画面の表示を省略し、前記ラベルデータ表示画面に前記ラベルデータ特定部により特定したラベルデータを前記表示部に表示させることを特徴とする請求項３に記載のラベル発行装置。
【請求項５】
前記ラベルデータ特定部により特定されたラベルデータに関連する関連ラベルデータを抽出する関連ラベルデータ抽出部をさらに備え、
前記表示制御部は、前記コード画像読み取り部によりコード画像を読み取った場合、前記ラベルデータ表示画面に前記関連ラベルデータを前記表示部に表示させることを特徴とする請求項４に記載のラベル発行装置。
【請求項６】
前記ラベルデータ表示画面に表示されたラベルデータについて、前記見本ラベルの発行を指示するための発行指示部をさらに備えたことを特徴とする請求項４または５に記載のラベル発行装置。
【請求項７】
１以上のラベルデータを記憶する記憶ステップと、
前記ラベルデータに基づいて通常ラベルを発行する通常ラベル発行ステップと、
前記通常ラベルの発行に伴い、前記通常ラベルのラベルデータを特定するためのコード画像を生成し、前記コード画像および前記通常ラベルのラベルイメージを含む見本ラベルを発行する見本ラベル発行ステップと、を備えたことを特徴とするラベル発行方法。
【請求項８】
前記見本ラベルに含まれたコード画像を読み取るコード画像読み取りステップと、
前記コード画像読み取りステップで読み取られたコード画像により前記通常ラベルのラベルデータを特定するラベルデータ特定ステップと、をさらに備えたことを特徴とする請求項７に記載のラベル発行方法。
【請求項９】
前記通常ラベル発行ステップは、ユーザーの認証情報を取得した場合に、前記通常ラベルを発行し、
前記見本ラベル発行ステップは、前記認証情報および前記通常ラベルのラベルデータを特定するラベル特定情報を含んだコード画像を生成することを特徴とする請求項８に記載のラベル発行方法。
【請求項１０】
前記認証情報を入力するための認証情報入力画面と、前記認証情報の認証に伴い、前記通常ラベルの発行対象となるラベルデータを表示するラベルデータ表示画面と、を表示する表示ステップと、
前記表示ステップの表示制御を行う表示制御ステップと、をさらに備え、
前記表示制御ステップは、前記コード画像読み取りステップによりコード画像を読み取らえた場合、前記認証情報入力画面の表示を省略し、前記ラベルデータ表示画面に前記ラベルデータ特定ステップにより特定されたラベルデータを前記表示ステップにより表示させることを特徴とする請求項９に記載のラベル発行方法。
【請求項１１】
前記ラベルデータ特定ステップにより特定されたラベルデータに関連する関連ラベルデータを抽出する関連ラベルデータ抽出ステップをさらに備え、
前記表示制御ステップは、前記コード画像読み取りステップによりコード画像を読み取られた場合、前記ラベルデータ表示画面に前記関連ラベルデータを前記表示ステップにより表示させることを特徴とする請求項１０に記載のラベル発行方法。
【請求項１２】
前記ラベルデータ表示画面に表示されたラベルデータについて、前記見本ラベルの発行を指示するための発行指示ステップをさらに備えたことを特徴とする請求項１０または１１に記載のラベル発行方法。
【請求項１３】
コンピューターに、請求項７ないし１２のいずれかに記載のラベル発行方法の各ステップを実行させるためのプログラム。
【手続補正２】
【補正対象書類名】明細書
【補正対象項目名】００１５
【補正方法】変更
【補正の内容】
【００１５】
この場合、認証情報を入力するための認証情報入力画面と、認証情報の認証に伴い、通常ラベルの発行対象となるラベルデータを表示するラベルデータ表示画面と、を表示する表示部と、表示部の表示制御を行う表示制御部と、をさらに備え、表示制御部は、コード画像読み取り部によりコード画像を読み取った場合、認証情報入力画面の表示を省略し、ラベルデータ表示画面にラベルデータ特定部により特定したラベルデータを表示部に表示させることが好ましい。
【手続補正３】
【補正対象書類名】明細書
【補正対象項目名】００１７
【補正方法】変更
【補正の内容】
【００１７】
上記のラベル発行装置において、ラベルデータ特定部により特定されたラベルデータに関連する関連ラベルデータを抽出する関連ラベルデータ抽出部をさらに備え、表示制御部は、コード画像読み取り部によりコード画像を読み取った場合、ラベルデータ表示画面に関連ラベルデータを表示部に表示させることが好ましい。
【手続補正４】
【補正対象書類名】明細書
【補正対象項目名】００２０
【補正方法】変更
【補正の内容】
【００２０】
この構成によれば、通常ラベルの発行対象となっているラベルデータについて見本ラベルを発行するか否かを選択することができる。
上記のラベル発行方法において、見本ラベルに含まれたコード画像を読み取るコード画像読み取りステップと、コード画像読み取りステップで読み取られたコード画像により通常ラベルのラベルデータを特定するラベルデータ特定ステップと、をさらに備えたことが好ましい。
この場合、通常ラベル発行ステップは、ユーザーの認証情報を取得した場合に、通常ラベルを発行し、見本ラベル発行ステップは、認証情報および通常ラベルのラベルデータを特定するラベル特定情報を含んだコード画像を生成することが好ましい。
この場合、認証情報を入力するための認証情報入力画面と、認証情報の認証に伴い、通常ラベルの発行対象となるラベルデータを表示するラベルデータ表示画面と、を表示する表示ステップと、表示ステップの表示制御を行う表示制御ステップと、をさらに備え、表示制御ステップは、コード画像読み取りステップによりコード画像を読み取らえた場合、認証情報入力画面の表示を省略し、ラベルデータ表示画面にラベルデータ特定ステップにより特定されたラベルデータを表示ステップにより表示させることが好ましい。
上記のラベル発行方法において、ラベルデータ特定ステップにより特定されたラベルデータに関連する関連ラベルデータを抽出する関連ラベルデータ抽出ステップをさらに備え、表示制御ステップは、コード画像読み取りステップによりコード画像を読み取られた場合、ラベルデータ表示画面に関連ラベルデータを表示ステップにより表示させることが好ましい。
上記のラベル発行方法において、ラベルデータ表示画面に表示されたラベルデータについて、見本ラベルの発行を指示するための発行指示ステップをさらに備えたことが好ましい。